(57)【要約】【課題】  同一周波数を用いて通信を行う非接触式ＩＣカードを、複数、一つの収納容器に格納して使用した場合、ＩＣカードリーダーからの問い合わせ電波に対して複数のＩＣカードが応答電波を発信するために混信し、正常な通信ができない。【解決手段】  第１外部表面部１、第１格納部２、第１折り畳み部３、第１電磁波透過吸収シールド５、第２電磁波透過吸収シールド７、第２格納部８、第２折り畳み部９、第２外部表面部１０、第１内側表面部１２、第１出し入れ口１４、第２出し入れ口１５、第２内側表面部１６を要素として本発明の一実施形態である収納容器４を構成し、第２ＩＣカード６を不正なアクセスから防護する機能、電磁波透過吸収シールドの材料特性及び段差を有する収納位置を用いて使用者が第１ＩＣカード１３を収納容器４に入れたままで使用できる機能を備えた。【選択図】  図１
2007334483.tif 000002
【特許請求の範囲】
【請求項１】
同一周波数を用いて通信を行う非接触式のＩＣカードを複数格納し、折り畳んだ状態で使用する収納容器において、
前記収納容器は、当該容器を折り畳んだ状態で、ＩＣカードのアンテナ部の片面を電磁波透過吸収シールドで部分的に覆っている第１格納部、挿入してあるＩＣカードのアンテナ部の両面を電磁波透過吸収シールドで全面的に覆っている第２格納部、第１格納部の下方に挿入してあるＩＣカードに必要な強度を有する電波を供給するためにアンテナの形状と位置を考慮して設定した非シールド領域などから構成されており、
第１格納部には、電磁波透過吸収シールドと異なるＩＣカード収納位置が割り当てられているため、当該格納部の下方に一部を収納されているＩＣカードが、段差を有する収納位置と電磁波透過吸収シールドの材料特性に由来する非シールド領域を利用して、前記ＩＣカードリーダーと電波で交信する手段と、
第２格納部が、電磁波透過吸収シールドを用いて、当該格納部に収納されているＩＣカードと前記ＩＣカードリーダーとの間で発生する混信の程度を低下させる手段と、
第２格納部が、電磁波透過吸収シールドを用いて、当該格納部の中に収納されているＩＣカードを不正なアクセスから守る手段を備えていることにより、
使用者が、第１格納部に挿入してあるＩＣカードを前記収納容器に入れたままで使用でき、第２格納部に収納してあるＩＣカードを盗聴、破壊、改竄から防護できることを特徴とする収納容器。
【請求項２】
同一周波数を用いて通信を行う非接触式のＩＣカードを複数格納し、折り畳んだ状態で使用する収納容器において、
前記収納容器は、当該容器を折り畳んだ状態で、一組の電磁波透過吸収シールドにより両面が部分的に覆われている第１格納部、一組の電磁波透過吸収シールドにより両面が全面的に覆われている第２格納部、第１格納部の下方に挿入したＩＣカードに必要な強度を有する電波を供給するためにアンテナの形状と位置を考慮して設定した非シールド領域などから構成されており、
使用者が、第１格納部の内部表面部に設けてある穴に指を押し当てて、ＩＣカードを、シールド領域から非シールド領域へと移動させ、あるいは、非シールド領域からシールド領域へと移動させる手段と、
第１格納部には電磁波透過吸収シールドと異なるＩＣカード収納位置が割り当てられているため、当該格納部の下方に一部を収納されているＩＣカードが、段差を有する収納位置と電磁波透過吸収シールドの材料特性に由来する非シールド領域を利用して、前記ＩＣカードリーダーと交信する手段と、
第１格納部が、電磁波透過吸収シールドを用いて、当該格納部のシールド領域に挿入されているＩＣカードを不正なアクセスから守る手段と、
第２格納部が、電磁波透過吸収シールドを用いて、当該格納部に収納されているＩＣカードと前記ＩＣカードリーダーとの間で発生する混信の程度を低下させる手段と、
第２格納部が、電磁波透過吸収シールドを用いて、当該格納部に収納されているＩＣカードを不正なアクセスから守る手段を備えていることにより、
使用者が、第１格納部の非シールド領域にＩＣカードの一部を格納している場合には、第１格納部に挿入したＩＣカードを収納容器に入れたままで使用でき、当該ＩＣカードを第１格納部のシールド領域に収納している場合には、当該ＩＣカード及び第２格納部に収納されているＩＣカードを盗聴、破壊、改竄から防護できることを特徴とする収納容器。
【請求項３】
同一周波数を用いて通信を行う非接触式のＩＣカードを複数格納し、折り畳んだ状態で使用する収納容器において、
前記収納容器は、ＩＣカードを収納する複数の格納部から構成されており、
各格納部は、前記収納容器を折り畳んだ状態で、一組の電磁波透過吸収シールドにより覆われているシールド領域と、それぞれの格納部に挿入したＩＣカードに必要な強度を有する電波を供給するためにアンテナの形状と位置を考慮して設定した、電磁波透過吸収シールドで覆われていない非シールド領域を有しており、
使用者が、第１格納部に挿入したＩＣカードを使用する場合には、まず、当該格納部にあけられた穴に指を押し当て、押し当てた指を用いて収納されているＩＣカードの一部分を非シールド領域へと移動させ、次に、第２格納部にあけられた穴に指を押し当て、押し当てた指を用いて収納されているＩＣカードをシールド領域へと移動させた後、第１格納部に収納されているＩＣカードを前記ＩＣカードリーダーの読み取り装置に対して平行となる状態を保ったまま近づけて前記ＩＣカードリーダーと交信させる手段と、
使用者が、第２格納部に挿入したＩＣカードを使用する場合には、まず、当該格納部にあけられた穴に指を押し当て、押し当てた指を用いて収納されているＩＣカードの一部分を非シールド領域へと移動させ、次に、第１格納部にあけられた穴に指を押し当て、押し当てた指を用いて収納されているＩＣカードをシールド領域へと移動させた後、第２格納部に収納されているＩＣカードを前記ＩＣカードリーダーの読み取り装置に対して平行となる状態を保ったまま近づけてと前記ＩＣカードリーダーと交信させる手段と、
前記格納部の非シールド領域に一部分を挿入されているＩＣカードが、非シールド領域に位置しているアンテナを利用して、前記ＩＣカードリーダーと交信する手段と、
前記収納容器が、シールド領域に収納されているＩＣカードと前記ＩＣカードリーダーとの間で発生させる混信の程度を低下させ、さらに、シールド領域に収納されているＩＣカードを不正なアクセスから守る手段を備えていることにより、
使用者が、複数の格納部に収納されているＩＣカードのうちの一つを用途に応じて選定し、選定したＩＣカードの一部分を非シールド領域へと移動させることで、選定したＩＣカードを収納容器に入れたまま使用でき、さらに、シールド領域に収納している他方ＩＣカードを盗聴、破壊、改竄から防護できることを特徴とする収納容器。
【請求項４】
同一周波数を用いて通信を行う非接触式のＩＣカードを複数格納して使用する収納容器において、
前記収納容器は、当該容器を開いた状態で、電磁波透過吸収シールドで外側の片面が覆われている第１格納部、及び電磁波遮蔽シールドで両面が覆われている第２格納部を有し、
前記収納容器は、当該収納容器を閉じた状態では、第１格納部の外側片面を覆っている電磁波透過吸収シールドと第２格納部の外側片面を覆っている電磁波遮蔽シールドが、その間に挟まれている複数のＩＣカードを不正なアクセスから守る手段と、
使用者が、前記収納容器を開いた状態で、第１格納部の内側をＩＣカードリーダーに向けて使用することで、第１格納部に収納したＩＣカードを、外側からの不正なアクセスから守りつつ、ＩＣカードリーダーと交信させる手段と、
前記収納容器が、当該収納容器を開いて前記ＩＣカードリーダーに向けた状態において、第２格納部の両面を覆っている電磁波遮蔽シールドを用いて、第２格納部に収納されているＩＣカードと前記ＩＣカードリーダーとの間で発生する混信の程度を低下させる手段を備えていることにより、
使用者が、前記収納容器を開いて内側を前記ＩＣカードリーダーに向けた状態では、第１格納部に挿入したＩＣカードを容器に入れたままで使用でき、前記収納容器を閉じた状態では、容器に格納されている複数のＩＣカードを盗聴、破壊、改竄から防護できることを特徴とする収納容器。
【請求項５】
同一周波数を用いて通信を行う非接触式のＩＣカードを複数格納し、折り畳んだ状態で使用する収納容器において、
前記収納容器は、当該容器を折り畳んだ状態で、電磁波透過吸収シールドにより挿入したＩＣカードのアンテナ部の片面を部分的に覆っている第１格納部、電磁波透過吸収シールドにより挿入したＩＣカードのアンテナ部の両面を全面的に覆っている第２格納部、第１格納部の下方に挿入したＩＣカードに必要な強度を有する電波を供給するためにアンテナの形と位置を考慮して設定した非シールド領域などから構成されており、
第１格納部には電磁波透過吸収シールドと異なるＩＣカード収納位置が割り当てられているため、当該格納部の下方に一部を収納されているＩＣカードが、段差を有する収納位置と電磁波透過吸収シールドの材料特性に由来する非シールド領域を利用して、前記ＩＣカードリーダーと交信する手段と、
第２格納部が、電磁波透過吸収シールドを用いて、当該格納部に収納されているＩＣカードと前記ＩＣカードリーダーとの間で発生する混信の程度を低下させる手段と、
第２格納部が、電磁波透過吸収シールドを用いて、当該格納部の中に収納されているＩＣカードを不正なアクセスから守る手段と、
使用者が、第２格納部に設けた透明なフィルムを通して、第２格納部に収納されているＩＣカードを視認した後、透明なフィルムにあけられた穴に指を押し当てて、ＩＣカードを出し入れする手段を備えていることにより、
使用者が、第１格納部に挿入したＩＣカードを前記収納容器に入れたままで使用でき、第2格納部に収納されているＩＣカードを盗聴、破壊、改竄から防護でき、さらに、第２格納部に収納されているＩＣカードを簡単に出し入れすることができることを特徴とする収納容器。
【請求項６】
請求項２、請求項３、及び請求項５のいずれかに記載の収納容器において、
全ての格納部を個別に両面から電磁波透過吸収シールドで覆うのではなく、前記収納容器を折り畳んだ状態で、対象となる複数の格納部を一組の電磁波透過吸収シールドで両側から覆う手段と、
前記収納容器における格納部の内側表面部に透明なフィルムをはめ込み、前記収納容器を開いた状態で、使用者が、当該格納部に格納しているＩＣカードを視認できる手段を備えていることにより、
使用者が、前記収納容器を開いた状態では、透明なフィルムを通して使用するＩＣカードを確認、選定でき、前記収納容器を折り畳んだ状態では、シールド領域に格納しているＩＣカードを盗聴、破壊、改竄から防護できることを特徴とする収納容器。
【請求項７】
請求項６に記載された収納容器において、
格納部の内部表面部の一部に嵌め込んである透明なフィルムに、電波の遮蔽と回り込みを考慮に入れた上で、ＩＣカードの位置決めを支援するためのガイドラインを表示しておき、使用者が、当該ガイドラインに基づき、当該格納部の中に収納したＩＣカードを非シールド領域からシールド領域へと正確に移動させ、あるいは、当該ＩＣカードの一部分をシールド領域から非シールド領域へと正確に移動させる手段を備えていることにより、
使用者が、選定したＩＣカードをシールド領域へと移動した時には、当該ＩＣカードを不正なアクセスから防護でき、選定したＩＣカードの一部を非シールド領域へと移動した時には、当該ＩＣカードをＩＣカードリーダーと交信させることができることを特徴とする収納容器。
【請求項８】
請求項１、請求項２、請求項３、及び請求項５のいずれかに記載の収納容器において、
折り畳んだ状態の容器の中で、防護しようとする一方のＩＣカードを、その両側から２枚の金属反射シールドで挟み込む手段と、
折り畳んだ状態の容器の中で、一方のＩＣカードを両側から挟んだ２枚の金属反射シールドを、さらに、その両側から、電磁波透過吸収シールド２枚で挟み込む手段を備えていることにより、
金属反射シールドが、その間に挟んだ一方のＩＣカードを不正なアクセスから防護し、さらに、電磁波透過吸収シールドが金属反射シールドから発生する反作用磁束を抑制し、他方のＩＣカードとＩＣカード・リーダーとの間では良好なレベルの電波を交換できることを特徴とする収納容器。
【発明の詳細な説明】
【技術分野】
【０００１】
本発明は、同一周波数を使用するＩＣカードを複数格納する収納容器、複数のＩＣカードとＩＣカードリーダー間で発生する混信の程度の低下、及び収納容器に格納したＩＣカードの盗聴、改竄、破壊の防止に関する。
【背景技術】
【０００２】
最近では、ＩＣカードの普及に伴い、使用者が、一人で、複数の非接触ＩＣカードを持つことも多くなっている。
【０００３】
この非接触ＩＣカードの長所の一つとして、例えば、Ｓｕｉｃａのように、収納容器に格納したままでＩＣカードリーダーとの間で交信できる利便性がある。
【０００４】
一方で、電波帯域利用技術の標準化は進んでおり、その結果、同一周波数を用いて通信するＩＣカードを一つの収納容器に複数格納する機会も増えているが、このような場合、電波の混信が発生し、ＩＣカードとＩＣカードリーダの間では正常な交信ができない。
【０００５】
このため、同一周波数を使用している複数の非接触ＩＣカードを一つの収納容器に格納している場合、利用者は、使用する都度、ＩＣカードを収納容器から抜き出して使うことになる。
【０００６】
その他の方法としては、同一周波数を使用している２枚の非接触ＩＣカードを一つの収納容器に格納する場合、それらの非接触ＩＣカードの間に金属板を挟み、使用に際しては収納容器の外観をもとに当該収納容器の裏表を判別し、使用する非接触ＩＣカードを選択する方法も考えられるが、この方法では、交信時に金属板の表面に流れる渦電流が発生させる反作用磁束のため、非接触ＩＣカードとＩＣカードリーダーを交信させることはできない。
【０００７】
また、従来は、記録媒体に記憶されたデータが悪意を持った第三者によって、破壊、改竄、不正取得されるのを防止することができる非接触型記録媒体の収納容器に関する発明はあった。(例えば、特許文献１)
【特許文献１】特許公開番号２００３-３００５７９
【０００８】
また、財布や定期入れ等からの出し入れが容易なＩＣカードを提供する発明はあった。
(例えば、特許文献２)
【特許文献２】特許公開番号平１１-２１３１２０
【発明の開示】
【発明が解決しようとする課題】
【０００９】
ところが、特許文献１に基づく発明では、記録媒体に記憶されたデータが悪意を持った第三者によって破壊、改竄、不正取得されることは防止できるものの、非接触ＩＣカードを収納容器に入れたまま使用することはできない。
【００１０】
また、特許文献２は、財布や定期入れ等からの出し入れが容易なＩＣカードを提供する発明であり、非接触ＩＣカードを格納したままで利用する収納容器に関する発明ではない。
【００１１】
さらに言及すれば、特許文献１と特許文献２に記載された発明は、ＩＣカードとＩＣカードリーダーとの混信の程度を低下させるための収納容器に関する発明ではなく、また、同一周波数を用いている複数のＩＣカードを一つの収納容器に格納したままで使用する容器に関するアイデアでもない。
【００１２】
そこで、同一周波数を使用している非接触ＩＣカードを複数格納している場合であっても、使用したい非接触式ＩＣカードを取り出すことなく使用できる収納容器が必要となる。
【００１３】
そして、その収納容器は、用途と使いやすさを考慮すれば、以下に示す条件を満足する必要がある。
【００１４】
(１)機密性は低いものの使用頻度が高いＩＣカードと、あまり使用しないものの機密性は高いＩＣカードを入れるための収納容器。
【００１５】
この収納容器の場合、使用頻度の高いＩＣカードは入れたまま使用でき、機密性の高いＩＣカードは確実に防護されていることが条件となる。
【００１６】
(２)機密性は中程度で使用頻度が高いＩＣカードと、使用するのは時々でも機密性が高い複数のＩＣカードを入れるための収納容器。
【００１７】
この収納容器の場合、使用者が、使用頻度の高いＩＣカードを、機密を保てる区画では収納容器に入れたままで使用でき、機密を保てない区画では電磁的にシールドできるものでなくてはならない。
【００１８】
また、機密性の高いＩＣカードは抜き出しやすいことが条件となる。
【００１９】
(３)使用頻度と機密性がともに高い複数のＩＣカードを入れるための収納容器。
【００２０】
この収納容器の場合、選定したＩＣカードは入れたままで使用でき、かつ、その他方のＩＣカードは不正アクセスからガードされている必要がある。
【００２１】
また、格納部に収納しているＩＣカードを電磁的にシールドするためには、個々の格納部の両面を電磁波遮蔽シールドで覆うことが最も望ましいが、一方、各格納部を個別にシールドした場合には透明性を喪失し、使用者が当該格納部の中に収納しているＩＣカードを目で確認できなくなる。
【００２２】
一方、透明なフィルムを利用した場合には、強い電磁波を遮蔽できないため、収納容器の構造及び電磁波遮蔽シールドの配置に関して工夫する必要がある。
【００２３】
また、限られたサイズの収納容器に電磁的なシールドを施した場合には、電波遮蔽の範囲、アンテナの通信能力、電波の干渉、電波の回り込み、二つの電磁波遮蔽シールドが形成するスリットのアンテナ効果などに配慮する必要があり、特に、格納したＩＣカードの微妙な位置決めは重要となる。
【００２４】
その理由は、使用するつもりのないＩＣカードの収納位置がずれた場合には混信が発生し、使用するつもりのＩＣカードの収納位置がずれた場合には電磁波遮蔽シールドに妨害されてＩＣカードリーダーと交信することができなくなるからである。
【課題を解決するための手段】
【００２５】
そこで、同一周波数を使用している複数の非接触ＩＣカードを収納し、利用に際しては、使用する非接触ＩＣカードが収納容器のどちら側に格納されているのを意識せずに使用できる収納容器を開発した。
【００２６】
当該収納容器は、複数の非接触ＩＣカードを格納したままで使用できる点に有用性があり、収納容器の構造、使用している電磁波遮蔽シールドの材質、及び電磁波遮蔽シールドと収納している非接触ＩＣカードの配置に関して工夫がある。
【００２７】
請求項１記載の収納容器は、機密性は低いものの使用頻度が高いＩＣカードと、あまり使用しないものの機密性は高いＩＣカードを格納するための容器である。
【００２８】
以下、問題を解決するための手段について、説明する。
【００２９】
同一周波数を用いて通信を行う非接触式のＩＣカードを複数格納し、折り畳んだ状態で使用する収納容器において、
前記収納容器は、当該容器を折り畳んだ状態で、ＩＣカードのアンテナ部の片面を電磁波透過吸収シールドで部分的に覆っている第１格納部、挿入してあるＩＣカードのアンテナ部の両面を電磁波透過吸収シールドで全面的に覆っている第２格納部、第１格納部の下方に挿入してあるＩＣカードに必要な強度を有する電波を供給するためにアンテナの形状と位置を考慮して設定した非シールド領域などから構成されており、
第１格納部には、電磁波透過吸収シールドと異なるＩＣカード収納位置が割り当てられているため、当該格納部の下方に一部を収納されているＩＣカードが、段差を有する収納位置と電磁波透過吸収シールドの材料特性に由来する非シールド領域を利用して、前記ＩＣカードリーダーと電波で交信する手段と、
第２格納部が、電磁波透過吸収シールドを用いて、当該格納部に収納されているＩＣカードと前記ＩＣカードリーダーとの間で発生する混信の程度を低下させる手段と、
第２格納部が、電磁波透過吸収シールドを用いて、当該格納部の中に収納されているＩＣカードを不正なアクセスから守る手段を備えていることにより、
使用者が、第１格納部に挿入したＩＣカードを前記収納容器に入れたままで使用でき、第２格納部に収納されているＩＣカードを盗聴、破壊、改竄から守ることができる。
【００３０】
以下、本請求項に関して、説明する。
【００３１】
図１に示す収納容器を折り畳んだ状態では、第２格納部に挿入されているＩＣカードのアンテナ部はその両側を全面的に二つの電磁波透過吸収シールドで覆われており、第１格納部に挿入されているＩＣカードのアンテナ部はその片側を電磁波透過吸収シールドで部分的に覆われている。
【００３２】
このため、第１格納部に収納されているＩＣカードは、電磁波透過吸収シールドに覆われてない非シールド領域に位置するアンテナを利用してＩＣカードリーダーと交信でき、第２格納部に収納されているＩＣカードは不正なアクセスから守られている。
【００３３】
また、Ｓｕｉｃａで使用している周波数は１３.５６ＭＨｚであり、そのアンテナは図４に示すようにＩＣカードの周辺部を周回している。
【００３４】
この１３.５６ＭＨｚの周波数を使用しているＩＣカードにおいて、理想的なアンテナの長さは、電波の波長である２２mを４で割った５.５mとなり、標準的なアンテナの長さは理想的なアンテナの長さを１０で割った５５cmとなるため、実務的には少なくとも標準的なアンテナの長さを２で割った２８cm以上の長さを持つアンテナであればよい。
【００３５】
そして、図４に示すように、電磁波透過吸収シールドの外に位置するアンテナが三周以上であれば、合計の長さが約３０cmとなり、ＩＣカードリーダーと交信することができる。
【００３６】
また、１３.５６ＭＨｚの波長を使用する場合、電磁波透過吸収シールドの外に位置するアンテナの長さを約３０cmするためには、図４に示すとおり、上下の段違いと横のずれの双方を用いて、通信領域を確保することがポイントとなる。
【００３７】
なお、本来的にはアンテナの長さは連続した３０cmであることが望ましいが、実際には、遠方界アンテナとして使用するのではなく、近傍界アンテナとして使用するため、分断された状態であっても、通信距離を短くして必要な電流を生じさせることで、通信可能となる。
【００３８】
また、収納するＩＣカードの枚数を増加するため、図１で示す収納容器を折り畳み、第１折り畳み部を上にして保持した状態において、第２折り畳み部が真中に位置する形で第３折り畳み部を増設し、増設した第３折り畳み部に第２折り畳み部の第２電磁遮蔽シールドを移設し、移設した第２電磁遮蔽シールドと第１電磁遮蔽シールドの間に格納部を増設してもよい。
【００３９】
また、図１における第１格納部を第２折り畳み部に移設し、第１格納部を移設した後の第１折り畳み部に、名刺などを入れる格納部を設けても良い。
【００４０】
また、アルミニウムや銅などの金属板を用いて電磁的に遮蔽した場合には、反作用磁束が発生してＩＣカードとＩＣカードリーダーとの間では通信を行えないが、高透磁率の軟磁性体合金粉末を合成樹脂やゴムに混合するなどして作成した電磁波透過吸収シールドを用いれば、反作用磁束は発生せず、良好な通信を行うことができる。
【００４１】
請求項２記載の収納容器は、機密性は中程度で使用頻度が高いＩＣカードと、使用するのは時々でも機密性が高いＩＣカードを格納するための容器である。
【００４２】
以下、問題を解決するための手段について、説明する。
【００４３】
同一周波数を用いて通信を行う非接触式のＩＣカードを複数格納し、折り畳んだ状態で使用する収納容器において、
前記収納容器は、当該容器を折り畳んだ状態で、一組の電磁波透過吸収シールドにより両面が部分的に覆われている第１格納部、一組の電磁波透過吸収シールドにより両面が全面的に覆われている第２格納部、第１格納部の下方に挿入したＩＣカードに必要な強度を有する電波を供給するためにアンテナの形状と位置を考慮して設定した非シールド領域などから構成されており、
使用者が、第１格納部の内部表面部に設けてある穴に指を押し当てて、ＩＣカードを、シールド領域から非シールド領域へと移動させ、あるいは、非シールド領域からシールド領域へと移動させる手段と、
第１格納部には電磁波透過吸収シールドと異なるＩＣカード収納位置が割り当てられているため、当該格納部の下方に一部を収納されているＩＣカードが、段差を有する収納位置と電磁波透過吸収シールドの材料特性に由来する非シールド領域を利用して、前記ＩＣカードリーダーと交信する手段と、
第１格納部が、電磁波透過吸収シールドを用いて、当該格納部のシールド領域に挿入されているＩＣカードを不正なアクセスから守る手段と、
第２格納部が、電磁波透過吸収シールドを用いて、当該格納部に収納されているＩＣカードと前記ＩＣカードリーダーとの間で発生する混信の程度を低下させる手段と、
第２格納部が、電磁波透過吸収シールドを用いて、当該格納部に収納されているＩＣカードを不正なアクセスから守る手段を備えていることにより、
使用者が、第１格納部の非シールド領域にＩＣカードの一部格納している場合には、第１格納部に挿入したＩＣカードを収納容器に入れたままで使用でき、当該ＩＣカードを第１格納部のシールド領域に収納している場合には、当該ＩＣカード及び第２格納部に収納されているＩＣカードを盗聴、破壊、改竄から守ることができる。
【００４４】
以下、本請求項に関して、説明する。
【００４５】
図２で示す収納容器を折り畳んだ状態では、第２格納部はその両側を全面的に二つの電磁波透過吸収シールドで覆われ、第１格納部はその両側を電磁波透過吸収シールドで部分的に覆われている。
【００４６】
このため、第２格納部に収納されている機密性の高いＩＣカードは、二つの電磁波透過吸収シールドに覆われており、不正なアクセスから守られている。
【００４７】
また、第１格納部に収納されているＩＣカードは、二つの電磁波透過吸収シールドにより完全に覆われている場合には不正なアクセスから守られており、一部分を非シールド領域に挿入している場合にはＩＣカードリーダーと交信することができる。
【００４８】
また、第１格納部に収納されているＩＣカードが、非シールド領域に一部分を挿入されている場合には、図４に示すように、ＩＣカードの周辺部を周回しているアンテナで電磁波透過吸収シールドの外に位置するアンテナが三周以上ある必要がある。
【００４９】
また、１３.５６ＭＨｚの波長を使用する場合、電磁波透過吸収シールドの外に位置するアンテナの長さを約３０cmするためには、図４に示すとおり、上下の段違いと横のずれの双方を用いて、通信領域を確保することがポイントとなる。
【００５０】
請求項３記載の収納容器は、使用頻度と機密性が高い複数のＩＣカードを格納するための容器である。
【００５１】
以下、問題を解決するための手段について、説明する。
【００５２】
同一周波数を用いて通信を行う非接触式のＩＣカードを複数格納し、折り畳んだ状態で使用する収納容器において、
前記収納容器は、ＩＣカードを収納する複数の格納部から構成されており、
各格納部は、前記収納容器を折り畳んだ状態で、一組の電磁波透過吸収シールドにより覆われているシールド領域と、それぞれの格納部に挿入したＩＣカードに必要な強度を有する電波を供給するためにアンテナの形状と位置を考慮して設定した、電磁波透過吸収シールドで覆われていない非シールド領域を有しており、
使用者が、第１格納部に挿入したＩＣカードを使用する場合には、まず、当該格納部にあけられた穴に指を押し当て、押し当てた指を用いて収納されているＩＣカードの一部分を非シールド領域へと移動させ、次に、第２格納部にあけられた穴に指を押し当て、押し当てた指を用いて収納されているＩＣカードをシールド領域へと移動させた後、第１格納部に収納されているＩＣカードを前記ＩＣカードリーダーの読み取り装置に対して平行となる状態を保ったまま近づけて前記ＩＣカードリーダーと交信させる手段と、
使用者が、第２格納部に挿入したＩＣカードを使用する場合には、まず、当該格納部にあけられた穴に指を押し当て、押し当てた指を用いて収納されているＩＣカードの一部分を非シールド領域へと移動させ、次に、第１格納部にあけられた穴に指を押し当て、押し当てた指を用いて収納されているＩＣカードをシールド領域へと移動させた後、第２格納部に収納されているＩＣカードを前記ＩＣカードリーダーの読み取り装置に対して平行となる状態を保ったまま近づけてと前記ＩＣカードリーダーと交信させる手段と、
前記格納部の非シールド領域に一部分を挿入されているＩＣカードが、非シールド領域に位置しているアンテナを利用して、前記ＩＣカードリーダーと交信する手段と、
前記収納容器が、シールド領域に収納されているＩＣカードと前記ＩＣカードリーダーとの間で発生させる混信の程度を低下させ、さらに、シールド領域に収納されているＩＣカードを不正なアクセスから守る手段を備えていることにより、
使用者が、複数の格納部に収納されているＩＣカードのうちの一つを用途に応じて選定し、選定したＩＣカードの一部分を非シールド領域へと移動させることで、選定したＩＣカードを収納容器に入れたまま使用でき、さらに、シールド領域に収納している他方ＩＣカードを盗聴、破壊、改竄から守ることができる。
【００５３】
以下、本請求項に関して、説明する。
【００５４】
図３に示すように、請求項３記載の収納容器の特徴は、収納容器を開いた状態で、使用者が、格納部の穴に指を押し当てて選択した一方のＩＣカードをシールド領域から非シヘールド領域へと移動させ、その時、同時に、他方のＩＣカードを非シールド領域からシールド領域へと移動させる点にある。
【００５５】
この収納容器は、ＩＣカード収納位置に段差を設けてあり、格納部の非シールド領域に部分的に格納されているＩＣカードだけがＩＣカードリーダーと交信できるようになっている。
【００５６】
また、収納容器に格納した二つのＩＣカードの機密性を守る場合には、二つのＩＣカードをともにシールド領域へと移動させ、収納容器を折り畳んだ状態で保持すればよい。
【００５７】
また、収納するＩＣカードの枚数を増やすため、図３で示す収納容器において、第１格納部を有する第１折り畳み部と第２格納部を有する第２折り畳み部の間に、電磁遮蔽シールドを有しない第３折り畳み部を増設し、増設した第３折り畳み部に第３格納部を設けてその中にＩＣカードを挿入してもよい。
【００５８】
請求項４に記載の収納容器は、特に機密性が高いＩＣカードを格納するための容器である。
【００５９】
特に機密性の高いＩＣカードを使用する場合、当該ＩＣカードを収納容器内におけるシールド領域と非シールド領域の間で移動させる方式には潜在的なリスクがある。
【００６０】
理由は、使用者が、当該ＩＣカードを非シールド領域に格納しているにも関わらず、シールド領域に格納したと誤解して収納容器を持ち運ぶことで、不正にアクセスされる可能性があるためである。
【００６１】
以下、この問題を解決するための手段について、説明する。
【００６２】
同一周波数を用いて通信を行う非接触式のＩＣカードを複数格納して使用する収納容器において、
前記収納容器は、当該容器を開いた状態で、電磁波透過吸収シールドで外側の片面が覆われている第１格納部、及び電磁波遮蔽シールドで両面が覆われている第２格納部を有し、
前記収納容器は、当該収納容器を閉じた状態では、第１格納部の外側片面を覆っている電磁波透過吸収シールドと第２格納部の外側片面を覆っている電磁波遮蔽シールドが、その間に挟まれている複数のＩＣカードを不正なアクセスから守る手段と、
使用者が、前記収納容器を開いた状態で、第１格納部の内側をＩＣカードリーダーに向けて使用することで、第１格納部に収納したＩＣカードを、外側からの不正なアクセスから守りつつ、ＩＣカードリーダーと交信させる手段と、
前記収納容器が、当該収納容器を開いて前記ＩＣカードリーダーに向けた状態において、第２格納部の両面を覆っている電磁波遮蔽シールドを用いて、第２格納部に収納されているＩＣカードと前記ＩＣカードリーダーとの間で発生する混信の程度を低下させる手段を備えていることにより、
使用者が、前記収納容器を開いて内側を前記ＩＣカードリーダーに向けた状態では、第１格納部に挿入したＩＣカードを容器に入れたままで使用でき、前記収納容器を閉じた状態では、容器に格納されている複数のＩＣカードを盗聴、破壊、改竄から守ることができる。
【００６３】
以下、本請求項に関して、説明する。
【００６４】
図７に示す本収納容器の特徴は、使用者が、第１格納部に収納したＩＣカードを使用する場合に、使用者が、まず、当該収納容器を開き、次に、意図的に、当該収納容器の内側をＩＣカードリーダーに向けて使用する点にある。
【００６５】
また、使用者が当該収納容器の内側をＩＣカードリーダーに向けて使用する場合においても、第１格納部に外側を覆っている電磁波透過吸収シールドが、第１格納部に収納されているＩＣカードを外側からの不正なアクセスから守ることができる。
【００６６】
また、当該収納容器の第２格納部に収納されているＩＣカードを使用する場合、使用者が、その両面を電磁波遮蔽シールドに覆われている第２格納部から当該ＩＣカードを抜き出して使うため、使用者が意識しない状態で、当該ＩＣカードが不正にアクセスされることはない。
【００６７】
また、収納容器を折り畳んだ状態では、当該収納容器に格納されている複数のＩＣカードは、第１格納部の外側片面を覆っている電磁波透過吸収シールドと第２格納部の外側片面を覆っている電磁波遮蔽シールドにより、不正なアクセスから防護されている。
【００６８】
請求項５に記載の収納容器は、機密性は低いものの使用頻度が高いＩＣカードと、あまり使用しないものの機密性は高いＩＣカードを格納するための容器である。
【００６９】
なお、請求項１に記載した収納容器も、機密性は低いものの使用頻度が高いＩＣカードと、あまり使用しないものの機密性は高いＩＣカードを入れるための容器であるが、請求項５に記載した収納容器は、請求項１に記載した収納容器と異なり、使用者が、透明なフィルムを通して第２格納部に収納してあるＩＣカードを視認することができる。
【００７０】
以下、この問題を解決するための手段について、説明する。
【００７１】
同一周波数を用いて通信を行う非接触式のＩＣカードを複数格納し、折り畳んだ状態で使用する収納容器において、
前記収納容器は、当該容器を折り畳んだ状態で、電磁波透過吸収シールドにより挿入したＩＣカードのアンテナ部の片面を部分的に覆っている第１格納部、電磁波透過吸収シールドにより挿入したＩＣカードのアンテナ部の両面を全面的に覆っている第２格納部、第１格納部の下方に挿入したＩＣカードに必要な強度を有する電波を供給するためにアンテナの形と位置を考慮して設定した非シールド領域などから構成されており、
第１格納部には電磁波透過吸収シールドと異なるＩＣカード収納位置が割り当てられているため、当該格納部の下方に一部を収納されているＩＣカードが、段差を有する収納位置と電磁波透過吸収シールドの材料特性に由来する非シールド領域を利用して、前記ＩＣカードリーダーと交信する手段と、
第２格納部が、電磁波透過吸収シールドを用いて、当該格納部に収納されているＩＣカードと前記ＩＣカードリーダーとの間で発生する混信の程度を低下させる手段と、
第２格納部が、電磁波透過吸収シールドを用いて、当該格納部の中に収納されているＩＣカードを不正なアクセスから守る手段と、
使用者が、第２格納部に設けた透明なフィルムを通して、第２格納部に収納されているＩＣカードを視認した後、透明なフィルムにあけられた穴に指を押し当てて、ＩＣカードを出し入れする手段を備えていることにより、
使用者が、第１格納部に挿入したＩＣカードを前記収納容器に入れたままで使用でき、第2格納部に収納されているＩＣカードを盗聴、破壊、改竄から防護でき、さらに、第２格納部に収納されているＩＣカードを簡単に出し入れすることができる。
【００７２】
以下、本請求項に関して、説明する。
【００７３】
図８に示す収納容器を折り畳んだ状態では、第２格納部に挿入されているＩＣカードのアンテナ部はその両側を全面的に二つの電磁波透過吸収シールドで覆われており、第１格納部に挿入されているＩＣカードのアンテナ部はその片側を電磁波透過吸収シールドで部分的に覆われている。
【００７４】
このため、第１格納部に収納されているＩＣカードは、電磁波透過吸収シールドに覆われてない非シールド領域に位置するアンテナを利用してＩＣカードリーダーと交信でき、第２格納部に収納されているＩＣカードは不正なアクセスから守られている。
【００７５】
また、図８に示すように、請求項５に記載した収納容器は、請求項１に記載した収納容器とは異なり、使用者が、第２格納部に設けた透明なフィルムを通して、第２格納部に収納されているＩＣカードを視認した後、透明なフィルムにあけられた穴に指を押し当てて、ＩＣカードを出し入れできる。
【００７６】
また、収納するＩＣカードの枚数を増やすため、第１折り畳み部と第２折り畳み部の間に第３折り畳み部を増設し、増設した第３折り畳み部にＩＣカードの格納部を設けてもよい。
【００７７】
請求項６記載の収納容器は、電磁波透過吸収シールドを用いて格納部に収納されているＩＣカードを不正アクセスから防護するとともに、透明なフィルムを用いて格納部の中に収納されているＩＣカードを視認できるようにした収納容器である。
【００７８】
以下、問題を解決するための手段について、説明する。
【００７９】
請求項２、請求項３、または請求項５のいずれかに記載の収納容器において、
全ての格納部を個別に両面から電磁波透過吸収シールドで覆うのではなく、前記収納容器を折り畳んだ状態で、対象となる複数の格納部を一組の電磁波透過吸収シールドで両側から覆う手段と、
前記収納容器における格納部の内側表面部に透明なフィルムをはめ込み、前記収納容器を開いた状態で、使用者が、当該格納部に格納しているＩＣカードを視認できる手段を備えていることにより、
使用者が、前記収納容器を開いた状態では透明なフィルムを通して使用するＩＣカードを確認、選定でき、前記収納容器を折り畳んだ状態では、シールド領域に格納しているＩＣカードを盗聴、破壊、改竄から防護できる。
【００８０】
以下、本請求項に関して、説明する。
【００８１】
また、請求項２、請求項３、または請求項５のいずれかに記載の収納容器は、第１格納部の外側と第２格納部の外側に電磁波透過吸収シールドを配置しているため、この構造上の特性を用いて、第１格納部と第２格納部の内側表面部に透明なフィルムをはめ込んでも、当該収納容器を折り畳んだ状態では、使用する収納容器の第２格納部に収納されているＩＣカードを防護できる。
【００８２】
請求項７記載の収納容器は、限られたサイズの収納容器の中に同じ周波数を使用する複数のＩＣカードを格納する場合において、格納したＩＣカードの配置を微妙に調節してＩＣカードリーダーと交信が行えるようにした収納容器である。
【００８３】
以下、問題を解決するための手段について、説明する。
【００８４】
請求項６に記載された収納容器において、
格納部の内部表面部の一部に嵌め込んである透明なフィルムに、電波の遮蔽と回り込みを考慮に入れた上で、ＩＣカードの位置決めを支援するためのガイドラインを表示しておき、使用者が、当該ガイドラインに基づき、当該格納部の中に収納したＩＣカードを非シールド領域からシールド領域へと正確に移動させ、あるいは、当該ＩＣカードの一部分をシールド領域から非シールド領域へと正確に移動させる手段を備えていることにより、
使用者が、選定したＩＣカードをシールド領域へと移動した時には、当該ＩＣカードを不正なアクセスから防護でき、選定したＩＣカードの一部を非シールド領域へと移動した時には、当該ＩＣカードをＩＣカードリーダーと交信させることができる。
【００８５】
以下、本請求項に関して、説明する。
【００８６】
図６は、使用者が、収納容器の中に挿入したＩＣカードの位置を調節する基準線を明示したものであり、電波の遮蔽と回り込みを考慮した上で、透明なフィルムに表示したシールド領域表示ガイドラインと使用領域表示ガイドラインから構成されている。
【００８７】
このシールド領域表示マークと非シールド領域表示マークを利用して指定された位置にＩＣカードを置くことで、使用者が電磁波透過吸収シールドの設置場所をもとに電波の遮蔽と回り込みの範囲を推測しながらＩＣカードの位置を調整する必要はなくなった。
【００８８】
請求項８に記載の収納容器は、高い防護性が要求されるＩＣカードを格納するための容器である。
【００８９】
高い防護性が要求されるＩＣカードを保護するためには、薄くても、広帯域にわたって電磁波を防護できる金属板を使用して、当該ＩＣカードの両側を防護することが望ましい。
【００９０】
一方、金属板を使用すれば、ICカードリーダーが電磁波を発信する際に金属板の表面に渦電流が流れ、その結果、発生する反作用磁束が情報を乗せた磁束を打ち消すこととなり、収納容器に格納したICカードとICカードリーダーとの間で、良好なレベルの通信を維持できない。
【００９１】
以下、問題を解決するための手段について、説明する。
【００９２】
請求項１、請求項２、請求項３、及び請求項５のいずれかに記載の収納容器において、
折り畳んだ状態の容器の中で、防護しようとする一方のＩＣカードを、その両側から２枚の金属反射シールドで挟み込む手段と、
折り畳んだ状態の容器の中で、一方のＩＣカードを両側から挟んだ２枚の金属反射シールドを、さらに、その両側から、軟磁性体合金粉末を合成樹脂に混合するなどして作成した電磁波透過吸収シールド２枚で挟み込む手段を備えていることにより、
金属反射シールドが、その間に挟んだ一方のＩＣカードを不正なアクセスから防護し、さらに、電磁波透過吸収シールドが金属反射シールドから発生する反作用磁束を抑制し、他方のＩＣカードとＩＣカード・リーダーとの間では良好なレベルの電波を交換することができる。
【００９３】
以下、本請求項に関して、説明する。
【００９４】
高透磁率の軟磁性体合金粉末を合成樹脂に混合して作成した電磁波透過吸収シールドは、金属反射シールドに比較し、遮蔽する電磁波の帯域幅が狭いこと、及び極めて強い電磁場においてはシールドを厚くせざるを得ないため、防護しようとするＩＣカードと格納したままで使用したいＩＣカードの２つを格納する収納容器に対して、薄さと広帯域性の両者を付与することは困難となる。
【００９５】
一方、金属反射シールドは、薄くても幅広い帯域の電磁波を遮蔽できる長所を有しているが、ＩＣカードのアンテナに金属反射シールドが近接している場合、反作用磁束が生まれるため、情報を乗せた磁束が打ち消され、ＩＣカードとＩＣカードリーダーとの間において良好なレベルを交換できなくなる短所も併せ持っている。
【００９６】
そこで、本発明では、防護しようとするＩＣカードを２枚の金属反射シールドの間に挟み込み、さらに、ＩＣカードを両側から挟んだ２枚の金属反射シールドを、高透磁率の軟磁性体合金粉末を合成樹脂に混合するなどして作成した電磁波透過吸収シールドの間に挟み込むことによって、反作用磁束の発生を防止している。
【発明の効果】
【００９７】
本発明によれば、同一周波数を用いて通信を行うＩＣカードを、複数、一つの収納容器に格納した状態において、選定したＩＣカードがＩＣカードリーダーと交信する際に発生する混信の程度を低下させ、かつ、使用しないＩＣカードを不正なアクセスから守ることができる。
【発明を実施するための最良の形態】
【００９８】
図１は本発明の一実施形態における収納容器の構造図である。
【００９９】
図１において、収納容器４は、第１電磁波透過吸収シールド５により挿入した第１ＩＣカード１３のアンテナ部片面を部分的に覆っている第１格納部２、第１電磁波透過吸収シールド５と第２電磁波透過吸収シールド７により挿入した第２ＩＣカード６のアンテナ部の両面を全面的に覆っている第２格納部８、第１格納部２の下方に挿入されている第１ＩＣカード１３にＩＣカードリーダー１１との交信に必要な強度を有する電波を供給するために、アンテナの形状と位置を考慮して設定した非シールド領域などから構成されており、
第１折り畳み部３は、当該第１折り畳み部３を上にして収納容器４を折り畳んだ状態で、第１外部表面部１、第１ＩＣカード１３を挿入するための第１格納部２、第１内側表面部１２と上から順番に階層付けされた部品、及び第１出し入れ口１４から構成され、
第２折り畳み部９は、第１折り畳み部３を上にして収納容器４を折り畳んだ状態で、第２内側表面部１６、第１電磁波透過吸収シールド５、第２ＩＣカード６を挿入するための第２格納部８、第２電磁波透過吸収シールド７、第２外部表面部１０と上から順番に階層付けされた部品、及び第２出し入れ口１５から構成され、
使用者が、収納容器４を開いた状態で、第１格納部２の中に収納されている第１ＩＣカード１３を第１出し入れ口１４から出し入れする手段と、
使用者が、収納容器４を開いた状態で、第２格納部８の中に収納されている第２ＩＣカード６を第２出し入れ口１５から出し入れする手段と、
収納容器４を折り畳んだ状態で、
第１格納部２には、第１電磁波透過吸収シールド５及び第２電磁波透過吸収シールド７と異なるＩＣカード収納位置が与えられているため、当該格納部に収納されている第１ＩＣカード１３が、段差を有する収納位置と電磁波透過吸収シールドの材料特性に由来する非シールド領域を利用して、格納されたままの状態で、ＩＣカードリーダー１１と電波で交信する手段と、
第２格納部８が、第１電磁波透過吸収シールド５と第２電磁波透過吸収シールド７を用いて、その間に挟まれている第２ＩＣカード６とＩＣカードリーダー１１の間で発生する混信の程度を低下させる手段と、
第２格納部８が、第１電磁波透過吸収シールド５と第２電磁波透過吸収シールド７を用いて、その間に挟まれている第２ＩＣカード６を不正なアクセスから守る手段を備えていることにより、
使用者が、収納容器４に収納した第１ＩＣカード１３を、当該容器に入れたまま、容器の裏表を気にせずに使用でき、さらに、第２格納部８に挿入した第２ＩＣカード１０を盗聴、破壊、改竄から防護できる。
【０１００】
次に、本実施形態における収納容器４の使用用途、並びに使用するための動作について説明する。
【０１０１】
収納容器４は、機密性は低いものの使用頻度が高い第１ＩＣカード１３と、あまり使用しないものの機密性は高い第２ＩＣカード６を格納するための容器である。
【０１０２】
使用者は、機密性が低い第１ＩＣカード１３を第１格納部２に挿入し、機密性の高い第２ＩＣカード６を第２格納部８に挿入して使用する。
【０１０３】
また、使用者が、第１格納部２に挿入した第１ＩＣカード１３を使用する場合には、第１格納部２に挿入した第１ＩＣカード１３とＩＣカードリーダー１１の読取装置の位置関係を平行に保ちつつ、収納容器４をＩＣカードリーダー１１の読取装置近づけて交信させる。
【０１０４】
また、使用者が、第２格納部８に挿入した第２ＩＣカード６を使用する場合には、第２格納部８から第２ＩＣカード６を抜き出し、抜き出した第２ＩＣカード６を、ＩＣカードリーダー１１の読取装置に対して平行となる状態を維持しながら近づけて交信させる。
【０１０５】
図２は本発明の一実施形態における収納容器の構造図である。
【０１０６】
図２において、収納容器２３は、当該収納容器２３を折り畳んだ状態で、第１電磁波透過吸収シールド１９と第２電磁波透過吸収シールド２９により両面が部分的に覆われている第１格納部２２、第１電磁波透過吸収シールド１９と第２電磁波透過吸収シールド２９により両面が全面的に覆われている第２格納部２６、第１格納部２２の下方に挿入した第１ＩＣカード３３に対してＩＣカードリーダー３１と交信するのに必要な強度を有する電波を供給するために、アンテナの形状と位置を考慮して算出した非シールド領域などから構成されており、
第１折り畳み部１８は、当該第１折り畳み部１８を上にして収納容器２３を折り畳んだ状態で、第１外部表面部１７、第１電磁波透過吸収シールド１９、第１金属反射シールド２０、シールド領域に位置する第１ＩＣカード２１を収納するための第１格納部２２、透明な第１フィルム３５をはめ込んだ第１内側表面部３２と上から順番に階層付けされた部品、及び第１出し入れ口３６と第１フィルム３５にあけられた第１穴３４から構成され、
第２折り畳み部２４は、第１折り畳み部１８を上にして収納容器２３を折り畳んだ状態で、透明な第２フィルム３８をはめ込んだ第２内側表面部３９、第２ＩＣカード２５を挿入するための第２格納部２６、第２金属反射シールド２８、第２電磁波透過吸収シールド２９、第２外部表面部３０と上から順番に階層付けされた部品、及び第２出し入れ口２７と第２フィルム３８にあけられた第２穴３７から構成され、
使用者が、収納容器２３を開いた状態で、透明な第２フィルム３８を通して第２格納部２６の中に収納されている第２ＩＣカード２５を目で確認した後に、第２フィルム３８にあけられた第２穴３７に指を押し当てて、第２ＩＣカード２５を第２出し入れ口２７から出し入れする手段と、
使用者が、収納容器２３を開いた状態で、透明な第１フィルム３５を通して第１格納部２２の中に収納されている第１ＩＣカード２１を目で確認した後に、第１フィルム３５にあけられた第１穴３４に指を押し当てて、第１ＩＣカード２１をシールド領域から非シールド領域へと移動させ、あるいは、第１ＩＣカード３３を非シールド領域からシールド領域へと移動させる手段と、
使用者が、収納容器２３を開いた状態で、透明な第１フィルム３５を通して第１格納部２２の中に収納されている第１ＩＣカード２１を目で確認した後に、第１フィルム３５にあけられた第１穴３４に指を押し当てて、第１ＩＣカード２１を第１出し入れ口３６から出し入れする手段と、
収納容器２３を折り畳んだ状態で、
第１格納部２２には第１電磁波透過吸収シールド１９及び第２電磁波透過吸収シールド２９と異なるＩＣカード収納位置が与えられているため、第１格納部２２の非シールド領域に一部を収納されている第１ＩＣカード３３が、段差を有する収納位置と電磁波透過吸収シールドの材料特性に由来する非シールド領域を利用して、格納されたままの状態で、前記ＩＣカードリーダー３１と電波で交信する手段と、
第１ＩＣカード２１がシールド領域に収納されている場合には、収納容器２３が、第１電磁波透過吸収シールド１９及び第２電磁波透過吸収シールド２９を用いて、その間に挟まれている第１ＩＣカード２１を不正なアクセスから守る手段と、
第２格納部２６が、第１電磁波透過吸収シールド１９と第２電磁波透過吸収シールド２９を用いて、その間に挟まれている第２ＩＣカード２５とＩＣカードリーダー３１の間で発生する混信の程度を低下させる手段と、
第２格納部２６が、第１電磁波透過吸収シールド１９と第２電磁波透過吸収シールド２９を用いて、その間に挟まれている第２ＩＣカード２５を不正なアクセスから守る手段を備えていることにより、
使用者が、
収納容器２３を開いた状態では、第２格納部２６に収納されている第２ＩＣカード２５を目で見て確認した後に、スムーズに出し入れでき、
収納容器２３を折り畳んだ状態では、収納容器２３の裏表を気にせずに、第１格納部２２に収納した第１ＩＣカード３３を収納容器２３に入れたまま使用でき、さらに、第２格納部２６に挿入した第２ＩＣカード２５を盗聴、破壊、改竄から防護できる。
【０１０７】
次に、本実施形態における収納容器２３の使用用途、並びに使用するための動作について説明する。
【０１０８】
収納容器２３は、機密性が中程度で使用頻度が高い第１ＩＣカード３３と、使用するのは時々でも機密性が高い第２ＩＣカード２５を格納するための容器である。
【０１０９】
使用者は、使用頻度が高い第１ＩＣカード２１を第１格納部２２に挿入し、機密性の高い第２ＩＣカード２５を第２格納部２６に挿入し、第１ＩＣカード２１を使用する場合には、第１フィルム３５にあけられた第１穴３４に指を押し当てて、シールド領域から非シールド領域へと移動させて使用し、第１ＩＣカード３３を不正アクセスから守る場合には、非シールド領域からシールド領域へと移動させて保護する。
【０１１０】
図３は本発明の一実施形態における収納容器の構造図である。
【０１１１】
図３において、収納容器４６は、折り畳んだ状態で、第１電磁波透過吸収シールド５６と第２電磁波透過吸収シールド６３により部分的に覆われている第１格納部４２と第２格納部４９、第１ＩＣカード５８と第２ＩＣカード６２を不正なアクセスから守る第１シールド領域５４と第２シールド領域４５、シールド領域から移動された第１ＩＣカード５８と第２ＩＣカード６２がＩＣカードリーダー５３と交信するための第１非シールド領域４１と第２非シールド領域４７を有し、
第１折り畳み部４４は、当該第１折り畳み部４４を上にして収納容器４６を折り畳んだ状態で、第１外側表面部４０、第１電磁波透過吸収シールド５６、第１ＩＣカード５８を収納するための第１格納部４２、透明な第１フィルム５７をはめ込んだ第１内側表面部５５と上から順番に階層付けされた部品に加えて、第１非シールド領域４１、第１シールド領域５４、指を押し当てるために第１フィルム５７にあけられた第１穴４３、及び第１出し入れ口５９から構成され、
第２折り畳み部５１は、第１折り畳み部４４を上にして収納容器４６を折り畳んだ状態で、透明な第２フィルム６１をはめ込んだ第２内側表面部６４、ＩＣカードを収納するための第２格納部４９、第２電磁波透過吸収シールド６３、第２表面部５２と上から順番に階層付けされた部品に加えて、第２非シールド領域４７、第２シールド領域４５、指を押し当てるために第２フィルム６１にあけられた第２穴５０、及び第２出し入れ口６０から構成され、
収納容器４６の第１非シールド領域４１または第２非シールド領域４７に一部分を収納されているＩＣカードが、非シールド領域に位置するアンテナを利用して、ＩＣカードリーダー５３と交信する手段と、
使用者が、
第１格納部４２に挿入した第１ＩＣカード５８を使用する場合には、
まず、第１穴４３に指を入れて、押し当てた指を用いて第１ＩＣカード５８を第１非シールド領域４１へと動かし、次に、第２穴５０に指を入れて、押し当てた指を用いて第２ＩＣカード４８を第２シールド領域４５まで挿入した後、収納容器４６を折り畳んだ状態で、第１格納部４２に挿入した第１ＩＣカード５８を、ＩＣカードリーダー５３の読み取り措置に対して平行状態を保ったまま近づけて交信させる手段と、
第２格納部４９に挿入した第２ＩＣカード６２を使用する場合には、
まず、第２穴５０に指を入れて、押し当てた指を用いて第２ＩＣカード６２を第２非シールド領域４７へと動かし、次に、第１穴４３に指を入れて、押し当てた指を用いて第１ＩＣカード５８を第１シールド領域５４まで挿入した後、収納容器４６を折り畳んだ状態で、第２格納部４９に挿入した第２ＩＣカード４８をＩＣカードリーダー５３の読み取り措置に対して平行状態を保ったまま近づけて交信させる手段と、
収納容器４６を折り畳んだ状態で、第２格納部４９の第２シールド領域４５まで第２ＩＣカード６２を挿入している場合には、第１電磁波透過吸収シールド５６と第２電磁波透過吸収シールド６３を用いて、第２格納部４９に収納されている第２ＩＣカード６２がＩＣカードリーダー５３との間で発生させる混信の程度を低下させ、さらに、第２格納部４９に収納されている第２ＩＣカード６２を不正アクセスから守る手段と、
収納容器４６を折り畳んだ状態で、第１格納部４２の第１シールド領域５４まで第１ＩＣカード５８を挿入している場合には、第１電磁波透過吸収シールド５６と第２電磁波透過吸収シールド６３を用いて、第１格納部４２に収納されている第１ＩＣカード５８がＩＣカードリーダー５３との間で発生させる混信の程度を低下させ、さらに、第１格納部４２に収納されている第１ＩＣカード５８を不正アクセスから守る手段を備えていることにより、
使用者が、第１格納部４２及び第２格納部４９に収納したＩＣカードのうちの一つを用途に応じて選定し、選定したＩＣカードを格納部の非シールド領域へと動かし、他方のＩＣカードを格納部のシールド領域に挿入することで、選定したＩＣカードを収納容器４６に入れたままでＩＣカードリーダー５３と交信させることができ、さらに、格納部のシールド領域に挿入したＩＣカードを盗聴、破壊、改竄から防護できる。
【０１１２】
次に、本実施形態における収納容器の使用用途、並びに使用するための動作について説明する。
【０１１３】
収納容器４６は、使用する機会が多く、かつ、機密性の高い、２枚のＩＣカードを格納するための容器である。
【０１１４】
このため、使用者がＩＣカードの収納位置を変更しやすいように、第１穴４３と第２穴５０が設けてある。
【０１１５】
ＩＣカードを使用する際は、使用者が、第１格納部４２と第２格納部４９に収納したＩＣカードのうちの一方を選定し、選定したＩＣカードを格納部の非シールド領域へと移動させ、他方のＩＣカードを格納部のシールド領域に移動させることで、選定したＩＣカードを混信させずにＩＣカードリーダー５３と交信させる。
【０１１６】
図７は本発明の一実施形態における収納容器の構造図である。
【０１１７】
図７において、収納容器８７は、第１折り畳み部８６と第２折り畳み部９１を有しており、
第１折り畳み部８６は、当該第１折り畳み部８６を上にして収納容器８７を折り畳んだ状態で、第１外部表面部８３、第１電磁波透過吸収シールド８４、第１ＩＣカード９４を挿入するための第１格納部８５、第１内側表面部９３と上から順番に階層付けされた部品、及び第１出し入れ口９５から構成され、
第２折り畳み部９１は、第１折り畳み部８６を上にして収納容器８７を折り畳んだ状態で、第２内側表面部９９、第２電磁波遮蔽シールド８８、第２ＩＣカード９８を挿入するための第２格納部９０、第３電磁波遮蔽シールド８９、第２外部表面部９２と上から順番に階層付けされた部品、及び第２出し入れ口９７から構成され、
収納容器８７は、当該収納容器８７を閉じた状態では、第１格納部８５の外側片面を覆っている第１電磁波透過吸収シールド８４と第２格納部９０の外側片面を覆っている第３電磁波遮蔽シールド８９が、その間に挟まれている第１ＩＣカード９４と第２ＩＣカード９８を不正なアクセスから守る手段と、
使用者が、収納容器８７を開いた状態で、第１格納部８５の内側をＩＣカードリーダー９６に向けることで、第１格納部８５に収納した第１ＩＣカード９４を、外側からの不正なアクセスから守りつつ、ＩＣカードリーダー９６と交信させる手段と、
収納容器８７が、当該収納容器８７を開いた状態では、第２格納部９０の両面を覆っている第２電磁波遮蔽シールド８８と第３電磁波遮蔽シールド８９を用いて、第２格納部９０に収納されている第２ＩＣカード９８とＩＣカードリーダー９６との間で発生する混信の程度を低下させる手段を備えていることにより、
使用者が、収納容器８７を開いた状態では、第１格納部８５に挿入した第１ＩＣカード９４を収納容器８７に入れたままで使用でき、収納容器８７を閉じた状態では、収納容器８７に格納されている第１ＩＣカード９４と第２ＩＣカード９８を盗聴、破壊、改竄から防護できる。
【０１１８】
図８は本発明の一実施形態における収納容器の構造図である。
【０１１９】
図８において、収納容器１０５は、使用頻度が高いＩＣカードを収納するための第１格納部１０１、第１電磁波透過吸収シールド１０４と第２電磁波透過吸収シールド１０８で両面が覆われている第２格納部１０７、及び第１格納部１０１の下方に挿入されている第１ＩＣカード１０２に対して、ＩＣカードリーダー１１２との交信に必要な強度を有する電波を供給するため、アンテナの形状と位置を考慮して算出した非シールド領域を有し、
第１折り畳み部１０３は、当該第１折り畳み部１０３を上にして収納容器１０５を折り畳んだ状態で、第１外部表面部１００、第１ＩＣカード１０２を収納するための第１格納部１０１、第１電磁波透過吸収シールド１０４、第１内側表面部１１３と上から順番に階層付けされた部品、及び第１出し入れ口１１４から構成され、
第２折り畳み部１０９は、第１折り畳み部１０３を上にして収納容器１０５を折り畳んだ状態で、フィルム１１５をはめ込んだ第２内側表面部１１６、第２ＩＣカード１０６を挿入するための第２格納部１０７、第２電磁波透過吸収シールド１０８、第２外部表面部１１１と上から順番に階層付けされた部品に加えて、穴１１７及び第２出し入れ口１１０から構成され、
第１格納部１０１が第２格納部１０７とは段違いのＩＣカード収納位置を与えられているため、当該格納部に収納されている第１ＩＣカード１０２が、第１電磁波透過吸収シールド１０４及び第２電磁波透過吸収シールド１０８の材料特性と段差に由来する非シールド領域を利用して、格納されたままの状態で、ＩＣカードリーダー１１２と電波で交信する手段と、
第２格納部１０７が、第１電磁波透過吸収シールド１０４と第２電磁波透過吸収シールド１０８を用いて、その間に挟まれている第２ＩＣカード１０６とＩＣカードリーダー１１２の間で発生する混信の程度を低下させる手段と、
第２格納部１０７が、第１電磁波透過吸収シールド１０４と第２電磁波透過吸収シールド１０８を用いて、その間に挟まれている第２ＩＣカード１０６を不正なアクセスから守る手段を備えていることにより、
使用者が、第１格納部１０１に挿入した第１ＩＣカード１０２を収納容器１０５に入れたままで使用でき、第２格納部１０７に格納されている第２ＩＣカード１０６を盗聴、破壊、改竄から防護できる。
【０１２０】
以上で、「発明を実施するための最良の形態」に関する説明を終了し、以下では、本発明に関する補足的な説明を行う。
【０１２１】
図４は、ＩＣカードリーダーに向けて近づけた収納容器６５における非シールド領域とアンテナの位置関係を、視覚的に説明した図である。
【０１２２】
図４において、一番下にＩＣカードリーダーを設置し、ＩＣカードリーダーの上に第１ＩＣカード７０（図１の第１ＩＣカード１３）が位置し、第１ＩＣカード７０の上に第２ＩＣカード６７（図１の第２ＩＣカード６）が位置するように、収納容器６５を保持した場合、第１ＩＣカード７０はアンテナの全部分を用いて、ＩＣカードリーダーと交信する。
【０１２３】
また、この図４において、一番下にＩＣカードリーダーを設置し、ＩＣカードリーダーの上に第２ＩＣカード６７（図１の第２ＩＣカード６）が位置し、第２ＩＣカード６７の上に第１ＩＣカード７０（図１の第１ＩＣカード１３）が位置するように、収納容器６５を保持した場合、第１ＩＣカード７０は非シールド領域に位置するアンテナ部分を用いて、ＩＣカードリーダーと交信する。
【０１２４】
また、図４では、非シールド領域に位置するアンテナ部分の合計の長さは約３０cmとなる。
【０１２５】
図５は、ＩＣカードリーダーに向けて近づけた収納容器７１における非シールド領域とアンテナの関係を、視覚的に説明した図である。
【０１２６】
図５において、一番下にＩＣカードリーダーを設置し、ＩＣカードリーダーの上に第２ＩＣカード７３（図３の第２ＩＣカード４８）が位置し、第２ＩＣカード７３の上に第１１Ｃカード７６（図３の第１ＩＣカード５８）が位置するように、収納容器７１を保持した場合、第２ＩＣカード７３はアンテナの全部分を用いて、ＩＣカードリーダーと交信する。
【０１２７】
また、この図５において、一番下にＩＣカードリーダーを設置し、ＩＣカードリーダーの上に第１ＩＣカード７６（図３の第１ＩＣカード５８）が位置し、第１ＩＣカード７６の上に第２ＩＣカード７３（図３の第２ＩＣカード４８）が位置するように、収納容器７１を保持した場合、第２ＩＣカード７３は非シールド領域に位置するアンテナ部分を用いて、ＩＣカードリーダーと交信する。
【０１２８】
また、図６は、使用者が、収納容器の中に挿入したＩＣカードの位置を調節する基準線を明示した図であり、電波の遮蔽と回り込みを考慮した上で、透明なフィルム上に表示した使用領域表示ガイドライン７９とシールド領域表示ガイドライン８０などから構成されている。
【０１２９】
以下では、本発明における一般的な事項に関して、説明する。
【０１３０】
本発明における電磁波透過吸収シールドとは、電磁波を遮断し、かつ、反作用磁束の発生を抑制する機能を有するものであればよく、例えば、高透磁率の軟磁性体合金粉末を合成樹脂やゴムに混合するなどして作成した電磁波透過シールドを含むが、これに限定されるものではなく、カーボンを樹脂やゴムに混合するなどして作成した電磁波吸収シールドなども含む。
【０１３１】
また、本発明における金属反射シールドとは、電磁波を遮蔽し、かつ、反作用磁束を発生させるものであり、例えば、アルミニウム、鉄、銅などを用いて製造した金属板、金属箔、金属膜などを含む。
【０１３２】
また、本発明における電磁波遮蔽シールドとは、電磁波透過吸収シールド及び金属反射シールドを指す。
【０１３３】
なお、アルミニウム金属板などは、価格が安くて電磁的なシールド能力が高いために、収納容器に格納したＩＣカードを不正なアクセスから防護するために用いられているが、一方で、金属板が反作用磁束を発生させるため、収納容器に格納したＩＣカードを容器から格納したままで使用する用途には適していない。
【０１３４】
また、本発明における収納容器とは、ＩＣカードを入れる機能を有するものであればよく、例えば、定期入れ、ＩＣカードケース、札入れ、名刺入れなどを含むが、これらに限定されない。
【０１３５】
また、収納容器を折り畳んだ状態とは、第１折り畳み部と第２折り畳み部を折り重ねた状態をいい、例えば、定期入れで説明すれば、閉じたままで保持している状態をいう。
【０１３６】
また、本発明における収納容器に格納するＩＣカードが使用する周波数は、例えば、１３.５６ＭＨｚを含むが、これに限定されることはなく、９５０MHzや２.４５GＨｚなども含む。
【０１３７】
また、二つの電磁波透過吸収シールドが形成するスリットに関しては、波長の１０分の１以下であればノイズの侵入を防止できるので１３.５６ＭＨｚの場合には問題ないが、２.４５GHzで用いる厚さが１.２cm以上の収納容器を製造する場合には、波長の１２cmを１０で割った１.２cm以下を保つ必要があるため、電磁波透過吸収シールドを追加する必要がある。
【産業上の利用可能性】
【０１３８】
本発明は、同一周波数を用いて通信を行うＩＣカードを一つの収納容器に複数格納し、使用者が、収納容器からＩＣカードを抜き出すことなく、選定したＩＣカードをＩＣカードリーダーと交信させる業務に適用できる。
【図面の簡単な説明】
【０１３９】
【図１】本発明の一実施形態における収納容器の構造図である。
【図２】本発明の一実施形態における収納容器の構造図である。
【図３】本発明の一実施形態における収納容器の構造図である。
【図４】本発明の一実施形態における収納容器の断面図である。
【図５】本発明の一実施形態における収納容器の断面図である。
【図６】本発明の一実施形態における収納容器のフィルムに表示した使用領域とシールド領域を示すガイドラインである。
【図７】本発明の一実施形態における収納容器の構造図である。
【図８】本発明の一実施形態における収納容器の構造図である。
【符号の説明】
【０１４０】
１  第１外部表面部
２  第１格納部
３  第１折り畳み部
４  収納容器
５  第１電磁波透過吸収シールド
６  第２ＩＣカード
７  第２電磁波透過吸収シールド
８  第２格納部
９  第２折り畳み部
１０  第２表面部
１１  ＩＣカードリーダー
１２  第１内側表面部
１３  第１ＩＣカード
１４  第１出し入れ口
１５  第２出し入れ口
１６  第２内側表面部
１７  第１外部表面部
１８  第１折り畳み部
１９  第１電磁波透過吸収シールド
２０  第１金属反射シールド
２１  第１ＩＣカード(シールド領域)  
２２  第１格納部
２３  収納容器
２４  第２折り畳み部
２５  第２ＩＣカード
２６  第２格納部
２７  第２出し入れ口
２８  第２金属反射シールド
２９  第２電磁波透過吸収シールド
３０  第２外部表面部
３１  ＩＣカードリーダー
３２  第１内部表面部
３３  第１ＩＣカード(非シールド領域)
３４  第１穴
３５  第１フィルム
３６  第１出し入れ口
３７  第２穴
３８  第２フィルム
３９  第２内部表面部
４０  第１外部表面部
４１  第１非シールド領域
４２  第１格納部
４３  第１穴
４４  第１折り畳み部
４５  第２シールド領域
４６  収納容器
４７  第２非シールド領域
４８  第２第１ＩＣカード(非シールド領域)
４９  第２格納部
５０  第２穴
５１  第２折り畳み部
５２  第２表面部
５３  ＩＣカードリーダー
５４  第１シールド領域
５５  第１内部表面部
５６  第１電磁波透過吸収シールド
５７  第１フィルム
５８  第１ＩＣカード
５９  第１出し入れ口
６０  第２出し入れ口
６１  第２フィルム
６２  第２ＩＣカード(シールド領域)
６３  第２電磁波透過吸収シールド
６４  第２内部表面部
６５  収納容器(図１の収納容器４)
６６  第１及び第２電磁波透過吸収シールド
６７  第２ＩＣカード
６８  アンテナ(１３.５６MHz)
６９  アンテナ(１３.５６MHz)
７０  第１ＩＣカード(非シールド領域)
７１  収納容器(図３の収納容器４６)
７２  第１及び第２電磁波透過吸収シールド
７３  移動後の第２ＩＣカード(非シールド領域)
７４  アンテナ(１３.５６MHz)
７５  アンテナ(１３.５６MHz)
７６  第１ＩＣカード(シールド領域)
７７  収納容器(図２の収納容器２３)
７８  透明なフィルム
７９  使用領域表示ガイドライン
８０  シールド領域表示ガイドライン
８１  第１穴
８２  第１及び第２電磁波透過吸収シールド
８３  第１外部表面部
８４  第１電磁波透過吸収シールド
８５  第１格納部
８６  第１折り畳み部
８７  収納容器
８８  第２電磁波遮蔽シールド
８９  第３電磁波遮蔽シールド
９０  第２格納部
９１  第２折り畳み部
９２  第２表面部
９３  第１内側表面部
９４  第１ＩＣカード
９５  第１出し入れ口
９６  ＩＣカードリーダー
９７  第２出し入れ口
９８  第２ＩＣカード
９９  第２内側表面部
１００  第１外部表面部
１０１  第１格納部
１０２  第１ＩＣカード    
１０３  第１折り畳み          
１０４  第１電磁波透過吸収シールド
１０５  収納容器
１０６  第２ＩＣカード
１０７  第2格納部
１０８  第２電磁波透過吸収シールド
１０９  第２折り畳み部
１１０  第２出し入れ口
１１１  第２表面部
１１２  ＩＣカードリーダー
１１３  第１内側表面部
１１４  第１出し入れ口
１１５  フィルム
１１６  第２内側表面部
１１７  穴
【図１】
2007334483.tif 000003
【図２】
2007334483.tif 000004
【図３】
2007334483.tif 000005
【図４】
2007334483.tif 000006
【図５】
2007334483.tif 000007
【図６】
2007334483.tif 000008
【図７】
2007334483.tif 000009
【図８】
2007334483.tif 000010